(57)【要約】【課題】印刷版の版面保護のために介在されている合い紙を効率的に集積する。【解決手段】印刷版露光装置は、印刷版１６と合い紙３０が交互に積層されて搭載されているスキッド２８が装填される印刷版装填部２６に隣接して合紙集積部１００を備えている。この合紙集積部には、集積トレイ１０２が配置されており、スキッドから吸盤フレームによって合い紙が持ち上げられると、ロッドレスシリンダ１１８を駆動して、集積トレイを印刷版装填部へ移動し、吸盤フレームによって持ち上げられた合い紙の下方へ挿入し、載置板１０２Ａ上に合い紙を載置する。これにより、集積トレイに合い紙を積層して集積し、取出し及び廃棄等の処分作業が容易となるようにしている。【選択図】　　　　図４
2004115154.tif 000002
【特許請求の範囲】
【請求項１】
印刷版の間に介在されて積層された合い紙を、印刷版の給版に先立って取り出して集積する合い紙の集積方法であって、
最上層に前記合い紙があるときに、該合い紙を取出して載置板上に展開して載置して集積することを特徴とする合い紙の集積方法。
【請求項２】
合い紙が介在されて積層された印刷版を、最上層から取出して給版する給版装置であって、
最上層の前記印刷版ないし合い紙を取出す枚葉手段と、
前記合い紙を展開した状態で載置する集積トレイと、
前記枚葉手段によって最上層から取出されて所定高さまで持ち上げられた前記合い紙の下方へ前記集積トレイを相対移動させて、該合い紙を集積トレイ上に載置可能とする移動手段と、
を含むことを特徴とする給版装置。
【請求項３】
前記集積トレイに集積される最下層の前記合い紙の少なくとも周縁部下方に所定の空間を形成する紙取出し手段が設けられていることを特徴とする請求項２に記載の給版装置。
【請求項４】
前記集積トレイに載置される前記合い紙の少なくとも周縁部の所定部位を凸状に湾曲させるリブが設けられていることを特徴とする請求項２又は請求項３に記載の給版装置。
【請求項５】
前記枚葉手段が、前記合い紙を取出すときに、該合い紙の幅方向に沿った端部を吸着して持ち上げることを特徴とする請求項２から請求項４の何れかに記載の給版装置。
【発明の詳細な説明】
【０００１】
【発明の属する技術分野】
本発明は、多数枚が積層された印刷版を最上層から取り出して露光装置へ供給する給版装置に係り、詳細には、印刷版の間に介在されている合い紙を取出して集積する合い紙の集積方法及び合い紙を取り出しながら印刷版の給版を行う給版装置に関する。
【０００２】
【従来の技術】
新聞印刷等の分野では、感光性平版印刷版（以下「印刷版」とする）に画像を記録して印刷用の刷版を作成する。刷版を作成する製版装置では、例えば印刷版載置台に積層されている印刷版を最上層から取り出して露光装置へ供給して、印刷版への画像記録を行うようにしている。
【０００３】
一方、印刷版には、感光層として光重合層が形成された所謂フォトポリマー版がある。このフォトポリマー版は、光ビームを照射して露光することにより潜像を形成することができるようになっており、これにより、印刷画像に応じた画像データに基づいて変調した光ビームにより印刷版の走査露光が可能となっており、迅速な製版処理が可能となっている。また、このフォトポリマー版は、遮光の面でも優れている。
【０００４】
ところで、感光層として光重合層が形成された印刷版（フォトポリマー版）は、多数枚を積層したときに、感光面が、この感光面と接触する印刷版の支持体と擦れ合うなどすることにより損傷してしまうことがある。このために、フォトポリマー版を積層するときには、合い紙を介在させて版面保護を図るようにしている。すなわち、合い紙とフォトポリマー版を交互に積層することにより、フォトポリマー版の感光面に損傷を生じてしまうのを防止しながら、運搬、保管等が行われるようになっている。
【０００５】
一方、このようなフォトポリマー版を給版するときには、フォトポリマー版の表面を保護している合い紙を取り除く必要がある。
【０００６】
このために、フォトポリマー版の取り出しに先立って、合い紙を吸着パッドによって吸着して持ち上げ、排出ローラとバックアップローラに挟持させて、排出ローラを回転駆動することにより、フォトポリマー版上から機外へ合い紙を排出するようにした給版装置が提案されている（例えば、特許文献１参照）。
【０００７】
また、合い紙を機外に排出するときには、排出スペースが問題となる。このために、フォトポリマー版上から取り出した合い紙を排出ローラ対によって収容部内に押し込むことにより、合い紙を折り曲げて収容部内に詰め込むようにした給版装置が提案されている（例えば、特許文献２参照）。
【０００８】
【特許文献１】
特開２０００‐２４７４５９号公報。
【特許文献２】
特開２００１‐１５１３９５号公報。
【０００９】
【発明が解決しようとする課題】
しかしながら、合い紙を収容部内に押し込むようにした場合、合い紙が収容部内で不規則に折れ曲がるために、限られたスペースに効率的に合い紙を収容し得るものではない。また、合い紙が収容部内で不規則に折れ曲がるために、合い紙を処分するために収容部内から取り出す作業が煩雑となってしまうという問題がある。
【００１０】
本発明は上記事実に鑑みてなされたものであり、処分作業が容易となるように効率的に合い紙を集積することができる合い紙の集積方法及び給版装置を提案することを目的とする。
【００１１】
【課題を解決するための手段】
上記目的を達成するために本発明の合い紙の集積方法は、印刷版の間に介在されて積層された合い紙を、印刷版の給版に先立って取り出して集積する合い紙の集積方法であって、最上層に前記合い紙があるときに、該合い紙を取出して載置板上に展開して載置して集積することを特徴とする。
【００１２】
この発明によれば、印刷版と合い紙が交互に重ねられて積層され、最上層に合い紙があるときに、この合い紙を取出して、載置板上に展開して載置する。これにより、印刷版の給版に応じて、載置板上に合い紙が積層されて集積される。
【００１３】
このようにして合い紙を集積することにより、折れ等が生じることなく合い紙を揃えて集積することができるので、合い紙を集積するための空間を大きく確保することなく多数枚の合い紙を集積することができる。
【００１４】
また、合い紙を揃えて集積するので、集積した合い紙の処分等の処理が極めて容易となる。
【００１５】
このようは本発明が適用される給版装置は、合い紙が介在されて積層された印刷版を、最上層から取出して給版する給版装置であって、最上層の前記印刷版ないし合い紙を取出す枚葉手段と、前記合い紙を展開した状態で載置する集積トレイと、前記枚葉手段によって最上層から取出されて所定高さまで持ち上げられた前記合い紙の下方へ前記集積トレイを相対移動させて、該合い紙を集積トレイ上に載置可能とする移動手段と、を含むことを特徴とする。
【００１６】
この発明によれば、印刷版の間に合い紙を介在させて積層しているときに、枚葉手段によって最上層の印刷版又は合い紙を取出す。このとき、最上層が印刷版であり、この印刷版を枚葉手段によって取出した時には、取出した印刷版を受け渡し手段へ受け渡して、次工程へ搬送可能とする。すなわち、枚葉手段によって取出した印刷版を受渡し手段へ受け渡すことにより、次工程への給版が可能となるようにする。
【００１７】
また、最上層が合い紙であるときには、この合い紙を枚葉手段によって取出して持ち上げ、集積トレイを持ち上げた合い紙の下方となるように移動する。このとき、集積トレイを移動させても良く、枚葉手段又は枚葉手段によって取出した合い紙を移動させても良く、また、合い紙と集積トレイの双方を移動させるようにしても良い。
【００１８】
このようにして合い紙の下方に集積トレイを配置した状態で、合い紙を集積とレイに載置する。
【００１９】
これにより、多数枚の合い紙を集積トレイ上に揃えて集積することができるので、集積した合い紙の処分などの作業が極めて容易となる。また、合い紙を折り曲げることなく集積するので、限られたスペースに多数枚の合い紙を効率良く集積することができる。
【００２０】
このような本発明では、前記集積トレイに集積される最下層の前記合い紙の少なくとも周縁部下方に所定の空間を形成する紙取出し手段が設けられていることが好ましく、これにより、多数枚の合い紙を集積トレイ上に載置して集積したときでも、集積トレイからの合い紙の取出しが極めて容易となる。
【００２１】
このような本発明としては、前記集積トレイに載置される前記合い紙の少なくとも周縁部の所定部位を凸状に湾曲させるリブが設けられていることが好ましくリブを形成することにより、例えば移動手段によって集積トレイを移動させるようにしているときに、集積トレイ上の合い紙が折れ曲がったり崩れたり、また、浮き上がってしまったりして、集積トレイから落下してしまうのを防止することができる。
【００２２】
また、本発明の給版装置においては、前記枚葉手段が、前記合い紙を取出すときに、該合い紙の幅方向に沿った端部を吸着して持ち上げるものであっても良く、これにより、合い紙の吸着に用いる枚葉手段の吸盤を数を少なくして、高い吸着圧で合い紙を吸着することができるので、合い紙の通気性によって吸着力が低下しても、確実な合い紙の吸着が可能となる。
【００２３】
また、合い紙を持ち上げるときに、合い紙が平面的でなくなるので、合い紙に働く空気抵抗によって合い紙が落ちてしまうのを防止することも可能となる。
【００２４】
【発明の実施の形態】
以下に図面を参照しながら本発明の実施の形態を説明する。図１には、本実施の形態に適用した印刷版露光装置の外観の概略を示している。
【００２５】
この印刷版露光装置１０は、例えば自動現像装置１２、パンチ／版曲げ装置１４と組み合わせられて、感光性平版印刷版（以下、「印刷版１６」と言う）への画像露光（画像記録）から現像処理及びパンチ／版曲げ処理等までを連続して行う印刷版製版システム１８等に用いることができる。
【００２６】
印刷版露光装置１０は、機枠２０内に露光部２２が設けられている。この露光部２０は、印刷版１６にレーザービーム等の光ビームを照射して画像露光を行う露光装置（図示省略）を備えており、図示しない画像処理装置から入力される画像データに基づいて印刷版１６への画像露光を行う。
【００２７】
なお、印刷版への画像露光を行う露光装置としては、定盤上に印刷版１６を載置して、レーザービームを走査しながら照射するフラットベット方式や、回転ドラムの周面に印刷版１６を巻き付け、回転ドラムを高速回転しながら、この回転ドラムの回転に同期してレーザービームを走査しながら照射するアウタードラム方式及び、ドラムの内周面に印刷版１６を配して、このドラムの軸線方向に沿って移動しながら回転するスピナーによってレーザービームを走査するインナードラム方式などの、従来公知の任意の構成を適用でき、本実施の形態では詳細な説明を省略する。
【００２８】
印刷版露光装置１０には、自動現像装置１２との間に印刷版排出部２４が設けられており、画像露光が終了した印刷版１６は、この印刷版排出部２４に排出されて、自動現像装置１２へ送り込まれる。これにより、画像露光の終了した印刷版１６に対して、現像処理及びパンチ／版曲げ処理等を連続して行われる。
【００２９】
一方、印刷版露光装置１０には、装置前面側（図１の紙面手前側）下部に印刷版装填部２６が設けられている。この印刷版装填部２６には、印刷版露光装置１０で画像露光が行われる印刷版１６が装填される。
【００３０】
図１及び図２に示すように、印刷版１６は、多数枚が印刷版載置台（以下「スキッド２８」とする）に積層されて搭載されており、印刷版１６は、このスキッド２８に搭載された状態で、印刷版露光装置１０の印刷版装填部２６に装填されるようになっている。
【００３１】
また、印刷版１６としては、支持体の一方の面に光重合層が形成されたフォトポリマー版を用いており、図２に示すように、スキッド２８には、印刷版（フォトポリマー版）１６と合い紙３０が交互に積層されている。印刷版１６は、合い紙が介在されることにより、版面保護が図られている。
【００３２】
なお、印刷版露光装置１０で画像露光可能な印刷版１６のサイズは、新聞１頁分の画像を縦に並べて記録可能な２Ｌ１Ｗサイズ及び、新聞１頁分の画像を縦横に並べて記録可能な２Ｌ２Ｗサイズであり、印刷版装填部２６には、何れかのサイズの印刷版１６を搭載しているスキッド２８が装填されるようになっている。
【００３３】
また、印刷版１６には、長手方向が天地方向となるように画像が記録されるようになっており、以下では、印刷版露光装置１０での印刷版１６の天地方向を矢印Ｌ方向とし、天地方向と直交する幅方向を矢印Ｗ方向としている。さらに、本実施の形態では、印刷版１６としてフォトポリマー版を例に説明するが、印刷版１６としては、サーマル版などであっても良い。
【００３４】
図１に示すように、機枠２０には、装置前面側の下部に扉３２Ａ、３２Ｂが設けられている。扉３２Ａ、３２Ｂは、所謂観音開きとなっており、印刷版露光装置１０では、扉３２Ａを開くことにより印刷版装填部２６内が開放され、印刷版装填部２６へのスキッド２８の挿入および引き出しが可能となる。なお、扉３２Ａ、３２Ｂは、例えば中間部で折り畳み可能となっており、これにより、狭いスペースで、印刷版装填部２６内を大きく開放できるようになっている。
【００３５】
印刷版露光装置１０では、印刷版装填部２６と露光部２２の間及び露光部２２と印刷版排出部２４の間で、印刷版１６をその幅方向に沿って搬送するようにしており、印刷版１６を搭載したスキッド２８は、印刷版１６の幅方向に沿って印刷版装填部２６に挿入される。
【００３６】
印刷版装填部２６では、スキッド２８が所定位置に挿入されることにより、スキッド２６に搭載している印刷版１６が印刷版装填部２６に対して位置決めされうようになっている。
【００３７】
印刷版露光装置１０には、印刷版装填部２６に隣接して合紙集積部１００が設けられており、図３乃至図６には、本発明が適用された給版装置が形成されている印刷版装填部２６又は、印刷版装填部２６と印刷版装填部２６に隣接して設けている合紙集積部１００の内部の概略構成を示している。
【００３８】
図３に示すように、印刷版装填部２６には、枚葉機構４０とコンベア４２が設けられている。枚葉機構４０は、エアシリンダ４４を備えており、このエアシリンダ４４がロッド４４Ａを下方へ向けて状態で、支持フレーム４６に取付けられている。また、支持フレーム４６には、エアシリンダ４４を挟んだ両側にスライド軸受４８が対で配置されており、このスライド軸受４８のそれぞれに、エアシリンダ４４のロッド４４Ａと平行にガイドロッド５０が、軸線方向に沿って移動可能に挿通されている。
【００３９】
また、枚葉機構４０には、スキッド２８に搭載されている印刷版１６に対向して吸盤フレーム５２が設けられており、この吸盤フレーム５２に、エアシリンダ４４のロッド４４Ａ及び一対のガイドロッド５０が連結されており、これにより、吸盤フレーム５２が昇降可能に支持され、また、エアシリンダ４４のロッド４４Ａが伸張されることにより、印刷版１６へ向けて降下するようになっている。
【００４０】
吸盤フレーム５２には、印刷版１６の幅方向の一端側（図３の紙面奥方の露光部２２側）に複数の吸盤５４Ａが取付けられており、他端側に複数の吸盤５４Ｂが取付けられている。
【００４１】
枚葉機構４０では、吸盤フレーム５２の吸盤５４Ａが２Ｌ１Ｗサイズの印刷版１６に対向し、吸盤５４Ａ、５４Ｂが２Ｌ２Ｗサイズの印刷版１６に対向するようになっており、エアシリンダ４４のロッド４４Ａを伸長させて、吸盤フレーム５２の吸盤５４Ａ又は吸盤５４Ａ、５４Ｂによって印刷版１６又は合い紙３０を吸着する。また、枚葉機構４０は、吸盤５４Ａ又は吸盤５４Ａ、５４Ｂによって印刷版１６又は合い紙３０を吸着すると、エアシリンダ４４のロッド４４Ａを収縮させて、吸盤フレーム５２で吸着保持した印刷版１６又は合い紙３０を所定高さまで持ち上げる。
【００４２】
吸盤フレーム５２には、あおり機構として、印刷版１６の天側に補助フレーム５６が設けられており、吸盤５４Ａ又は吸盤５４Ａ、５４Ｂによって印刷版１６又は合い紙３０を吸着して持ち上げるときに、エアシリンダ５８によって補助フレーム５６を吸盤フレーム５２に対して上方移動させると共に、エアシリンダ６０によって印刷版１６（合い紙３０）の幅方向の端部に対向する押下ピン６２を下方に突出させ、吸盤５４Ａ又は吸盤５４Ａ、５４Ｂによって吸着した印刷版１６又は合い紙３０から、次の合い紙３０又は印刷版１６を分離させるようにしている。
【００４３】
なお、あおり機構はこれに限らず、例えば、補助フレーム５６の上昇によって持ち上げた印刷版１６又は合い紙３０の下方へ向けてエアーを吹出し、印刷版１６又は合い紙３０と次の合い紙３０又は印刷版１６との間にエアーを供給する等、従来公知の任意の機構を適用することができる。また、本実施の形態では、印刷版１６の天地方向の一端側にあおり機構を設けているが、天地方向の両端側のそれぞれにあおり機構を設けるようにしても良い。
【００４４】
一方、図３及び図５に示すように、印刷版装填部２６には、印刷版１６の天地方向の両側に、側板６４、６６が対で配置されており、この側板６４、６６の間にコンベア４２が形成されている。
【００４５】
図３に示すように、側版６４、６６の間には、露光部２２と反対側の端部（図１の扉３２Ａ側）にシャフト６８が掛け渡されて軸支されている。このシャフト６８には、側板６４側及び側板６６側にスプロケット７０が取り付けられている。また、側板６４、６６には、露光部２２側に、スプロケット７０に対向してスプロケット７２、７４が対で設けられ（図４参照）、さらに、印刷版装填部２６には、スプロケット７２、７４の下方にスプロケット７６が設けられ、スプロケット７０、７２、７６の間及びスプロケット７０、７４、７６の間のそれぞれには、対となるようにチェーン７８が巻き掛けられている。
【００４６】
また、シャフト６８には、一方の側板６４から突出した先端部にスプロケット８０が取り付けられ、側板６４には、モータ８２が取付けられており、モータ８２の駆動軸に取り付けられているスプロケット８４と、シャフト６８のスプロケット８０の間に、チェーン８６が巻き掛けられている。
【００４７】
これにより、モータ８２が駆動することにより、一対のチェーン７８が一体で回転駆動する。
【００４８】
この一対のチェーン７８の間には、複数本の支持バー８８が所定間隔で掛け渡されている。この支持バー８８は、通常、スプロケット７２、７４とスプロケット７６の間の待機位置に移動しており、この待機位置が原位置となっている。印刷版装填部２６では、コンベア４２の支持バー８８が原位置に移動していることにより、吸盤フレーム５２の昇降が可能となっている。
【００４９】
また、コンベア４２は、吸盤５４Ａ又は吸盤５４Ａ、５４Ｂによって印刷版１６を吸着した吸盤フレーム５２が所定高さまで上昇すると、モータ８２を駆動して、支持バー８８を、側板６４、６６の間の印刷版載置位置に展開するようになっている。
【００５０】
吸盤フレーム５２は、吸着した印刷版１６を、印刷版載置位置に展開された支持バー８８の上方まで持ち上げるようになっており、これにより、吸盤フレーム５２での印刷版１６の吸着保持を解除することにより、印刷版１６が支持バー８８の間に掛け渡されて載置される。
【００５１】
なお、コンベア４２の支持バー８８には、印刷版１６の天地方向に沿った一端側にピンローラが設けられ、他端側にプッシャーが設けられており（何れも図示省略）、支持バー８８上に印刷版１６を載置すると、プッシャーによって印刷版１６をピンローラへ向けて押圧移動して、印刷版１６をピンローラに当接させることにより、印刷版１６の天地方向に沿った位置決めを行うようになっている。
【００５２】
また、印刷版装填部２６には、露光部２２側に位置決め用として複数（本実施の形態では一例として一対）のピンローラ９０が設けられており、このピンローラ９０をエアシリンダ９２によって、印刷版１６の幅方向の端面に対向する位置へ下降させた状態で、モータ８２を駆動して、支持バー８８に支持されている印刷版１６をピンローラ９０へ向けて移動する。これにより、印刷版１６がピンローラ９０に当接することにより、コンベア３０上での印刷版１６の幅方向に沿った位置決めがなされる。
【００５３】
印刷版露光装置１０では、スキッド２８から取り出してコンベア４２の支持バー８８に載置した印刷版１６の天地方向及び幅方向に沿った位置決めを行うと、図示しない給版キャリアによって印刷版１６を吸着して露光部２２へ搬送する。なお、給版キャリアとしては、コンベア４２に載置されている印刷版１６の一部ないし全域を吸着して搬送する任意の構成を用いることができ本実施の形態では詳細な説明を省略する。
【００５４】
ところで、図１に示すように、印刷版露光装置１０では、扉３２Ｂを開くことにより印刷版装填部２６に隣接して設けている合紙集積部１００が開放される。
【００５５】
図４乃至図６に示すように、合紙集積部１００には、集積トレイ１０２が設けられている。この集積トレイ１０２は、矩形平板状の載置板１０２Ａがフレーム１０２Ｂに取付けられて形成されており、印刷版装填部２６に装填されるスキッド２８に搭載されている印刷版１６の間に介在されている合い紙３０を載置可能な大きさ（サイズ）となっている。
【００５６】
なお、本実施の形態に適用した印刷版露光装置１０では、印刷版１６として２Ｌ１Ｗサイズに加えて２Ｌ２Ｗサイズの露光処理が可能となっており、これにより、集積トレイ１０２は、２Ｌ２Ｗサイズの印刷版１６を水平状態で載置可能な大きさとしているが、２Ｌ１Ｗサイズの印刷版１６の露光処理専用であれば、集積トレイ１０２は、この印刷版１６のサイズに合わせたものであればよい。
【００５７】
一方、印刷版装填部２６と合紙集積部１００の間には、印刷版１６の幅方向に沿った一端側（露光部２２側）に、上下に対で配置されたレールによって形成されたガイドレール１０４が設けられている。また、合紙集積部１００には、印刷版１６の幅方向に沿った他端側（図１の扉３２Ｂ側）に、ガイドレール１０４に対向してガイドレール１０６が配置され、このガイドレール１０６の印刷版装填部２６側に、ガイドレール１０８が配設されている。
【００５８】
ガイドレール１０８の取付け位置は、印刷版装填部２６に設けているシャフト６８側に接近し、印刷版装填部２６へ印刷版１６を搭載しているスキッド２８を挿入する開口が確保されるようにしている。
【００５９】
集積トレイ１０２には、ガイドレール１０４に摺動可能に係合しているスライダ１１０が取付けられており、集積トレイ１０２のガイドレール１０６側には、天地方向の一端側（図４乃至図６の紙面左側）に、ガイドレール１０６に対向するブラケット１１２が取付けられ、天地方向の他端側（図４乃至図６の紙面右側）に、ガイドレール１０８に対向するブラケット１１４が取付けられている。
【００６０】
ブラケット１１２、１１４のそれぞれには、上下に対で配置されたガイドローラ１１６が軸支されている。また、ガイドレール１０６、１０８は、断面略コ字状に形成され、ブラケット１１２のガイドローラ１１６が、集積トレイ１０２側へ向けて折曲されたガイドレール１０６の端部を挟持し、ブラケット１１４のガイドローラ１１６がガイドレール１０８の端部を挟持している。
【００６１】
これにより、集積トレイ１０２は、ガイドレール１０４とガイドレール１０６、１０８の間で、水平状態で支持されると共に、印刷版１２の天地方向に沿って印刷版装填部２６と合紙集積部１００の間を水平移動可能となっている。
【００６２】
一方、図４及び図６に示すように、合紙集積部１００には、ロッドレスシリンダ１１８が設けられている。ロッドレスシリンダ１１８は、長手方向が印刷版１６の天地方向に沿うように配置されて、図示しない駆動ブロックが、ガイドレール１０４のレールの間から、印刷版装填部２６と反対側の端部のスライダ１１０に連結している。
【００６３】
これにより、ロッドレスシリンダ１１８が駆動すると集積トレイ１０２が、合紙集積部１００側の原位置と、印刷版装填部２６内の受取り位置の間を移動する。なお、集積トレイ１０２の原位置では、集積トレイ１０２が合紙集積部１００に移動してスキッド２８の上方から退避しており、受取り位置では、印刷版装填部２６に移動して、コンベア４２の下方で、スキッド２８上に搭載されている印刷版１６（合紙３０）の上方となっている。また、集積トレイ１０２の停止位置は、図示しないセンサによって検出されるようになっている。
【００６４】
印刷版装填部２６では、吸盤フレーム５２の吸盤５４Ａ又は吸盤５４Ａ、５４Ｂによって印刷版１６の間に介在している合い紙３０を吸着して持ち上げると、支持バー８８を退避位置に保持した状態で、ロッドレスシリンダ１１８を駆動して、集積トレイ１０２を、吸盤フレーム５２によって持ち上げられた合い紙３０の下方へ移動する。
【００６５】
この後に、吸盤５４Ａ又は吸盤５４Ａ、５４Ｂによる合い紙３０の吸着保持を解除することにより、合い紙３０を集積トレイ１０２上に落下させて載置する。
【００６６】
これにより、印刷版装填部２６では、印刷版１６と共にスキッド２８に搭載されている合い紙３０を、集積トレイ１０２に整列させて集積するようにしている。
【００６７】
なお、印刷版装填部２６では、吸盤フレーム５２が印刷版１６を吸着して持ち上げる高さよりも、合い紙３０を吸着して持ち上げる高さが低くなっており、これにより、合い紙３０の吸着保持を解除して、集積トレイ１０２へ落下させるときの落下量を少なくして、合い紙３０が集積トレイ１０２上の所定位置に確実に載置されるようにしている。
【００６８】
図４及び図５に示すように、集積トレイ１０２の載置板１０２Ａには、印刷版１６の幅方向に沿って長い略矩形形状の取出し孔１２０が形成されている。この取出し孔は、集積トレイ１０２に最大サイズの印刷版１６と共に積層されていた合い紙３０を載せたときに、長手方向の端部が、この合い紙３０から突出するようになっている。
【００６９】
また、印刷版露光装置１０では、集積トレイ１０２を原位置へ移動させた状態で、扉３２Ｂ（図１参照）を開くことにより、集積トレイ１０２の上方が開放されるようになっている。これにより、集積トレイ１０２の取出し孔１２０へ手を挿入して、集積トレイ１０２に積層している合い紙３０を取出すことができる。なお、取出し孔１２０は、集積した合い紙３０から突出しなくとも、集積と例１０２の下側から合い紙３０の下に手を差し入れることができるものであれば良い。
【００７０】
以下に、本実施の形態の作用を説明する。
【００７１】
印刷版露光装置１０では、印刷版装填部２６に印刷版１６を搭載しているスキッド２８を装填した状態で、図示しない画像処理装置から、画像データと共に製版指示が入力されることにより、印刷版１６への画像露光を開始する。
【００７２】
印刷版露光装置では、印刷版１６への露光処理が指示されると、印刷版装填部２６に装填されているスキッド２８から、印刷版１６を取出して、露光部２２へ供給する。
【００７３】
露光部２２では、印刷版１６が供給されると、この印刷版１６へ向けて、画像データに応じて変調した走査しながら照射して、印刷版１６に画像露光を施す。これにより、印刷版１６には、画像データに応じた画像が記録される。
【００７４】
印刷版露光装置１０では、印刷版１６への露光が終了すると、この印刷版１６を露光部２２から取出して、印刷版排出部２４へ送り出す。この後に、この印刷版１６に対して、現像処理及びパンチ／板曲げ処理が指示されているときには、印刷版排出部２４から自動現像装置１２へ送り出す。
【００７５】
これにより、印刷版露光装置１０で画像露光された印刷版１６は、現像処理及びパンチ／版曲げ処理が施されて、印刷用刷版として、図示しない集積装置に集積される。
【００７６】
ところで、印刷版装填部２６に装填されるスキッド２８には、印刷版１６と合い紙３０が交互に積層されており、印刷版装填部２６では、合い紙３０を取り除きながら印刷版１６を露光部２２へ供給するようにしている。
【００７７】
ここでは、図７を参照しながら、印刷版露光装置１０に設けている印刷版装填部２６での給版処理の概略を説明する。なお、コンベア４２の支持バー８８、集積トレイ１０２は、予め設定されている原位置に移動され、枚葉機構４０の吸盤フレーム５２は、所定位置まで上昇している。
【００７８】
ここで、最初のステップ２００で露光部２２からの給版要求の有無を確認し、給版要求が入力されることにより、ステップ２００で肯定判定して、給版処理を開始する。
【００７９】
給版処理は、先ず、ステップ２０２で、エアシリンダ４４のロッド４４Ａを伸張させ、スキッド２８へ向けた吸盤フレーム５２の下降を開始する。この後、所定のタイミングで、吸盤５４Ａ又は吸盤５４Ａ、５４Ｂ（以下では、吸盤５４とする）への負圧の供給を開始する（ステップ２０４）。
【００８０】
これにより、吸盤５４がスキッド２８の最上層の印刷版１６又は合い紙３０に接近することにより、その印刷版１６又は合い紙３０が吸着される。
【００８１】
ステップ２０６では、吸盤５４が印刷版１６又は合い紙３０を吸着したか否かを確認し、印刷版１６又は合い紙３０を吸着すると、ステップ２０６で肯定判定してステップ２０８へ移行し、吸盤フレーム５２の下降を停止する（エアシリンダ４４のロッド４４Ａの伸張停止）。
【００８２】
この後、ステップ２１０では、スキッド２８上の最上層が合い紙３０であるか否かを確認する。すなわち、吸盤５４が合い紙３０を吸着しているか印刷版１６を吸着しているかを確認する。なお、最上層が印刷版１６であるか合い紙３０であるかの確認は、吸盤５４によって吸着したときの負圧配管内の圧力変化や、金属センサ等を用いる従来公知の任意の方法を適用することができる。
【００８３】
ここで、スキッド２８の最上層が印刷版１６であり、この印刷版１６を吸盤５４によって吸着していると判断されると、ステップ２１０で否定判定してステップ２１２へ移行し、印刷版１６の取出しを開始する。
【００８４】
この印刷版１６の取出しは、ステップ２１２で、エアシリンダ５８を駆動して、補助フレーム５６を上昇させて、吸盤５４によって吸着している印刷版１６の天地方向の端部を捲り上げると共に、押下ピン６２を下方へ突出（エアシリンダ６０の作動）させて、補助フレーム５６を上昇させることにより捲り上げた印刷版１６の先端側をさらに下方へ向けて湾曲させるなどして、吸着した印刷版１６の端部を煽って、この印刷版１６から次の合い紙３０を確実に分離する。
【００８５】
このあおり動作が終了すると、ステップ２１４では、エアシリンダ４４のロッド４４Ａを収縮させ、印刷版１６を吸着している吸盤フレーム５２を、コンベア４２への印刷版受渡し位置まで上昇させる。
【００８６】
吸盤フレーム５２が印刷版受渡し位置まで上昇すると、ステップ２１６では、モータ８２を作動させて、コンベア４２の支持バー８８を退避位置から印刷版載置位置へ移動して、吸盤フレーム５２によって持ち上げた印刷版１６の下方に、支持バー８８を展開する。この後、ステップ２１８では、吸盤５４による印刷版１６の吸着保持を解除する。これにより、印刷版１６は、コンベア４２の支持バー８８上に落下して、支持バー８８に掛け渡されて載置されることにより、コンベア４２へ受け渡される。
【００８７】
コンベア４２では、印刷版１６が支持バー８８上に載置されると、図示しないプッシャーを作動させて、印刷版１６の天地方向の位置決めを行うと共に、エアシリンダ９２を作動させて、ピンローラ９０を印刷版１６の幅方向の端面に対向するように突出させた状態で、モータ８２を作動させることにより、印刷版１６をピンローラ９０へ当接させて、印刷版１６の幅方向に沿った位置決めを行う。
【００８８】
このようにして位置決めが終了すると、図示しない給版キャリアによってコンベア４２の支持バー８８上の印刷版１６を吸着して、露光部２２へ搬送する。これにより、露光部２２への印刷版１６の給版が行われる。
【００８９】
一方、ステップ２２０では、コンベア４２上の印刷版１６が、露光部２２へ搬送されたか否かを確認し、印刷版１６が露光部２２へ搬送されると、ステップ２２０で肯定判定してステップ２２２へ移行し、モータ８２を駆動することにより、コンベア４２の支持バー８８を退避位置へ移動させて、スキッド２８と吸盤フレーム５２の間を開放する。
【００９０】
この後、ステップ２２４では、連続した給版支持がなされているか否かを確認し、連続給版が要求されているときには、ステップ２２４で肯定判定してステップ２０２へ移行し、次の印刷版１６の取出し処理を開始する。
【００９１】
一方、スキッド２８の最上層が印刷版１６ではなく合い紙３０であるときには、ステップ２１０で肯定判定してステップ２２６へ移行し、合い紙３０の取出し処理を開始する。
【００９２】
合い紙３０の取出しは、先ずステップ２２６で補助フレーム５６を上昇させて、合い紙３０の天地方向の端部をまくり挙げると共に、押下ピン６０によってさらに押し下げるなどして、吸盤５４によって吸着した合い紙３０を次の印刷版１６から分離する。なお、この合い紙３０の分離も従来公知のあおり動作を適用することができる。
【００９３】
この後、ステップ２２８で、吸盤フレーム５２を合い紙３０の集積トレイ１０２への受渡し位置まで上昇させ、ステップ２３０では、ロッドレスシリンダ１１８を作動させることにより、集積トレイ１０２を合紙集積部１００からスキッド２８と、吸盤フレーム５２によってスキッド２８から持ち上げられた合い紙３０の間の合紙受取り位置へ移動する。
【００９４】
集積トレイ１０２が合い紙受取り位置へ移動すると、ステップ２３２では、吸盤５４による合い紙３０の吸着保持を解除する。これにより、吸盤フレーム５２によって持ち上げられた合い紙３０が、集積トレイ１０２上に落下して載置される。
【００９５】
また、集積トレイ１０２上に合い紙３０が載置されると、ステップ２３４では、集積トレイ１０２を合紙集積部１００へ移動することにより、スキッド２８の上方を開放して、印刷版１６の取出しを行うために、ステップ２０２へ移行する。
【００９６】
このように、合紙集積部１００では、集積トレイ１０２上に合い紙３０を展開した状態で載置して集積する。これにより、合い紙３０は、折れ曲がるなどすることがないので、多数枚の合い紙３０を集積するときにも、集積した合い紙３０の容量が予想外に大きくなることがない。すなわち、限られた容積の中で、多数枚の合い紙３０を確実に集積することができる。
【００９７】
また、集積トレイ１０２上に集積した合い紙３０は、扉３２Ｂ（図１参照）を開くことにより、合紙集積部１００から取出すことができる。このとき、合い紙３０は、集積トレイ１０２上に整列されて集積されているために、取出しが容易であると共に、取出した合い紙３０の廃棄などの後処理も極めて容易となる。
【００９８】
なお、以上説明した本実施の形態は、本発明の一例を示すものであり、本発明の構成を限定するものではない。
【００９９】
例えば、本実施の形態では、集積トレイ１０２の載置板１０２Ａに取出し孔１２０を設けて、集積トレイ１０２に集積した合い紙３０の取出しが容易となるようしたが、これに限らず、例えば図８（Ａ）又は図８（Ｂ）に示すように、リブを形成するようにしても良い。
【０１００】
図８（Ａ）に示す集積トレイ１２２では、載置板１２２Ａにリブ１２４を設けている。このリブ１２４は、断面が略三角形状で、長手方向が合い紙３０の天地方向（長手方向）に沿うように配置している。
【０１０１】
このような集積トレイ１２２を用いることにより、合い紙３０の幅方向の中間部が上方へ凸状となるように集積することができ、リブ１２４と最下層の合い紙３０の間に生じる隙間から、手を差し入れされることにより、長尺の合い紙３０で合っても、容易に持ち上げて円滑に取出すことができる。
【０１０２】
また、この集積トレイ１２２では、リブ１２４が、合い紙３０を凸形状として腰を持たせるので、印刷版１６の天地方向に沿った移動／停止を繰返したときに、載置板１２２Ａ上に載置している合い紙３０が、載置板１２２Ａ上で折れ曲がったり、浮き上がったりするのを確実に防止しながら、円滑な合い紙３０の集積が可能となる。
【０１０３】
なお、集積トレイ１２２では、載置板１２２Ａの周縁部に枠１３０を形成しても良く、これにより、集積している合い紙３０が、装置内部に入り込む空気の流れや、集積トレイ１２２の移動によって生じる空気の流れによって捲れ上がってしまうのを防止することが可能となる。
【０１０４】
図８（Ｂ）に示す集積トレイ１２６では、載置板１２６Ａにリブ１２８を設けている。この集積トレイ１２６に設けられるリブ１２８は、断面が略三角形状で、合い紙３０の長手方向（印刷版１６の天地方向に沿う方向）の両端部側に対で配置され、長手方向が合い紙３０の幅方向に沿うように取り付けられている。
【０１０５】
このように構成している集積トレイ１２６では、合い紙３０の長手方向の両端部が上方へ凸状に湾曲されて、リブ１２８と最下層の合い紙３０の間に隙間が生じるようになっており、これにより、載置板１２６Ａからの合い紙３０の持ち上げを容易としている。
【０１０６】
また、この集積トレイ１２６では、印刷版１６の天地方向に沿った移動／停止を繰返したときに、載置板１２６Ａ上に載置している合い紙３０が、載置板１２６Ａ上で滑ってしまうのを、リブ１２８が確実に防止することができる。
【０１０７】
これにより、積層して集積している合い紙３０が崩れてしまうのを確実に防止しながら、円滑な合い紙３０の集積が可能となる。
【０１０８】
また、本実施の形態では、吸盤フレーム５２の吸盤５４によって合い紙３０の略全域を吸着して、合い紙３０をスキッド２８上から水平状態で持ち上げるようにしたが、スキッド２８からの合い紙３０の取出しは、これに限るものではない。
【０１０９】
例えば、スキッド２８上から合い紙３０を持ち上げるときに、合い紙３０の集積トレイ１０２側の端部を、幅方向に沿って吸着して持ち上げ、持ち上げた合い紙３０の下方に集積トレイ１０２を挿入して、合い紙３０を集積トレイ１０２の載置板１０２Ａ上に載せるようにしても良い。
【０１１０】
これにより、合い紙３０をスキッド２８上から集積トレイ１０２上に載せかえる時間を短縮して、印刷版１６を露光部２２へ供給する給版時間の短縮を図ることができる。
【０１１１】
また、本実施の形態では、吸盤フレーム５２によって持ち上げた合い紙３０の下方に集積トレイ１０２を移動させるようにしたが、吸盤フレーム３０を移動させることにより合い紙３０を集積トレイ１０２の上方へ移動させるようにしても良く、また、吸盤フレーム５２から合い紙３０を受け取って、集積トレイ１０２の上方へ移動させる移動機構を設けるようにするなどしても良い。
【０１１２】
さらに、本実施の形態では、枚葉機構４０とコンベア４２を用いて印刷版１６を露光部２２へ供給する給版装置を構成しているが、給版装置の構成は、これに限るものではなく、スキッド２８上から印刷版１６を１枚ずつ取出して露光部２２へ供給する任意の構成を適用することができる。
【０１１３】
また、本実施の形態では、本発明を適用した給版装置を、印刷版露光装置１０に用いて説明したが、本発明の給版装置は、任意の構成の露光装置に適用することができる。また、本発明の給版装置は、露光装置に限らず、印刷版と合い紙を交互に積層して搭載しているスキッドやマガジンから、合い紙を分離しながら印刷版を取出す任意の構成の給版装置に適用することができる。
【０１１４】
さらに、本実施の形態では、２Ｌ１Ｗサイズまたは２Ｌ２Ｗサイズの何れかを搭載しているスキッド２８からの印刷版１６の取出しを例に説明したが、吸盤フレーム５２に設ける吸盤の数を増やすなどして、２Ｌ１Ｗサイズの印刷版１６を並べて搭載しているスキッド２８から、２枚の印刷版１６を同時に取出すものであっても良い。
【０１１５】
【発明の効果】
以上説明したように本発明によれば、多数枚の合い紙を、折り曲げたり、崩したり、落下させたりしてしまうことなく限られたスペース内に揃えて集積することができる。また、集積した合い紙の取出しや処分等が極めて容易となるという優れた効果が得られる。
【図面の簡単な説明】
【図１】本実施の形態に適用した印刷版露光装置が設けられた製版システムの要部の概略概観図である。
【図２】印刷版露光装置に装填されるスキッドへの印刷版と合い紙の搭載を示す概略斜視図である。
【図３】印刷版装填部の概略構成図を示す要部の斜視図である。
【図４】印刷版装填部と合紙集積部の要部を示す概略斜視図である。
【図５】印刷版装填部と合紙集積部の要部を装置前面側から見た概略図である。
【図６】印刷版装填部と合紙集積部の要部を装置上方側から見た概略図である。
【図７】印刷版装填部と合紙集積部での給版処理と給版処理に伴う合い紙の集積処理の概略を示す流れ図である。
【図８】（Ａ）及び（Ｂ）は、本発明に適用可能な集積トレイの例を示す要部の概略斜視図である。
【符号の説明】
１０　　印刷版露光装置
１６　　印刷版
１８　　製版システム
２２　　露光部（次工程）
２６　　印刷版装填部
２８　　スキッド
３０　　合い紙
４０　　枚葉機構（枚葉手段）
４２　　コンベア（受取り手段）
５２　　吸盤フレーム（枚葉手段）
５４（５４Ａ、５４Ｂ）　　吸盤（枚葉手段）
８８　　支持バー（受取り手段）
１００　　合紙集積部
１０２、１２２、１２６　　集積トレイ
１０２Ａ、１２２Ａ、１２６Ａ　　載置板
１０４、１０６、１０８　　ガイドレール（移動手段）
１１８　　ロッドレスシリンダ
１２０　　取出し孔（取出し手段）
１２４、１２６　　リブ（取出し手段）
【図１】
2004115154.tif 000003
【図２】
2004115154.tif 000004
【図３】
2004115154.tif 000005
【図４】
2004115154.tif 000006
【図５】
2004115154.tif 000007
【図６】
2004115154.tif 000008
【図７】
2004115154.tif 000009
【図８】
2004115154.tif 000010